(57)【要約】【課題】本発明は、牽引紐を動かすことで飼い主とペットの間の距離を固定し、飼い主が牽引紐を引っ張ることでペットを引き戻すことができるペットのリード構造を提供する。【解決手段】本発明のペットのリード構造は、一本以上の主紐体と、一本以上の牽引紐とからなる。前記主紐体は、主に紐体を織ってなり、その一側は飼い主に握らせるグリップ部を形成し、他側はペットの首輪に連結する連結部が形成され、前記グリップ部と連結部の間は引っ張り段を形成する。前記牽引紐は一定距離をもつ紐体であり、牽引紐を主紐体の引っ張り段末端に結合させることで両者は一体に結合される。【選択図】図１
2018046789.tif 000002
【特許請求の範囲】
【請求項１】
一本以上の主紐体と、一本以上の牽引紐とからなるペットのリード構造であって、
前記主紐体は、主に紐体を織ってなり、その一側は飼い主に握らせるグリップ部を形成し、他側はペットの首輪に連結する連結部を形成し、前記グリップ部と連結部の間は引っ張り段を形成し、
前記牽引紐は、一定距離をもつ紐体であり、牽引紐は主紐体の引っ張り段末端に結合されることで両者は一体に結合することを特徴とするペットのリード構造。
【請求項２】
前記牽引紐は、ミシン糸によって主紐体に結合されることを特徴とする、請求項１に記載のペットのリード構造。
【請求項３】
前記牽引紐は、接着剤によって主紐体に結合されることを特徴とする、請求項１に記載のペットのリード構造。
【請求項４】
前記主紐体の引っ張り段は、弾性伸縮ベルトからなり、前記弾性伸縮ベルトは若干の穿孔を備え、前記牽引紐は固定端とアクティブ端を形成し、前記固定端はミシン糸で引っ張り段に縫い合わされ、前記牽引紐のアクティブ端は、牽引紐を引っ張り段に隠すために、弾性伸縮ベルトの穿孔に順番に通されることを特徴とする、請求項２に記載のペットのリード構造。
【請求項５】
前記ペットのリード構造は、さらに強化片を備え、前記強化片は牽引紐の固定端に設けられ、固定端を強化片と引っ張り段の間に挟んで固定し、ミシン糸によって主紐体及び牽引紐と一体に結合し連結強度を強化することを特徴とする、請求項４に記載のペットのリード構造。
【請求項６】
前記牽引紐の固定端には巻き戻しメカニズムが設けられ、巻き戻しメカニズムによって牽引紐が元の位置に戻されることを特徴とする、請求項５に記載のペットのリード構造。
【請求項７】
前記引っ張り段には、さらにアクティブ部材が設けられ、牽引紐の固定端はミシン糸で固定された後、アクティブ端をアクティブ部材に巻き付けた後に穿孔に通し、それにより、牽引紐を引っ張ると距離が長い主紐体が引っ張られることを特徴とする、請求項４に記載のペットのリード構造。
【請求項８】
前記主紐体は、複数の引っ張り段及び連結部を備え、前記引っ張り段はグリップ部にそれぞれ結合され、前記牽引紐は引っ張り段の数量に対応することを特徴とする、請求項１に記載のペットのリード構造。
【発明の詳細な説明】
【技術分野】
【０００１】
本発明はペットのリード構造に関し、特に牽引紐によってペットとの間の距離を一瞬で近づけることができ、ペットに振り回されて事故が起こるのを防ぐことができるペットのリード構造に関する。
【背景技術】
【０００２】
図６は従来のペットのリード構造の立体構造図である。その紐体９１は、一般的な平織りの紐（或は、ゴム紐）であり、一端にペットの首輪に引っかける留め具９２が設けられ、他端には飼い主が握るための輪部９３が設けられることによって、ペットのリード構造が構成される。
【０００３】
従来の構造の紐体は以下の欠点がある。従来の構造は、多くが、弾性糸織のゴム紐からなるため、飼い主は常にペットに引っ張られて、振り回されたり、行ったり来たりさせられたりする（つまり、飼い主がペットに引きずられる）ことにより、飼い主が疲れてしまい、使用する上で大変であることが最大の欠点である。
１、上述したように、状來の構造は、多くがゴム紐、弾性紐からなり、その特性は一定の距離を引き伸ばせることである。それにより、飼い主がペットとの距離を近づけようとする場合、ずっと紐体を巻き続けなければならず、相当不便である。
２、従来の構造のもう一つの欠点は、紐体９１は弾性を備えるため、飼い主が紐体９１を引っ張る時、ペットが暴れると紐体の弾性ゆえ制御できず、交通上の危険が生じる。
【発明の概要】
【発明が解決しようとする課題】
【０００４】
本発明は、主に、主紐体に主紐体より距離が短い牽引紐を設けることにより、牽引紐を引くことで飼い主とペットの間の距離を直接固定すること、さらにはペットを近づけることができ、しいてはペットが暴れて交通事故を起こすのを防ぐことができるペットのリード構造を提供することを目的とする。
【０００５】
本発明は、牽引紐を主紐体に組み入れ、主紐体に若干の穿孔を設け、前記牽引紐を穿孔内に通すことで、牽引紐を主紐体に隠すことができるペットのリード構造を提供することを目的とする。
【課題を解決するための手段】
【０００６】
上述の目的を達成するために、本発明のペットのリード構造は、一本以上の主紐体と、一本以上の牽引紐とからなる。前記主紐体は、主に紐体を織ってなり、その一側は飼い主に握らせるグリップ部を形成し、他側はペットの首輪に連結する連結部が形成され、前記グリップ部と連結部の間は引っ張り段を形成する。前記牽引紐は一定距離をもつ紐体であり、牽引紐を主紐体の引っ張り段末端に結合させることで両者は一体に結合される。本発明の特徴は、牽引紐を動かすことで飼い主とペットの間の距離を固定し、飼い主が牽引紐を引っ張ることでペットを引き戻すことができる。
【発明の効果】
【０００７】
上述で説明した構造の本発明の得られる利点を以下に簡潔に示す。まず、飼い主がペットを引き戻すとき、牽引紐が主紐体の引っ張り段末端に設けられるため、牽引紐を動かすと、ペットを前に進ませず飼い主との間の距離を直接近くすることができるため、事故が起こるのを防ぐことができる。
１、主紐体の引っ張り段は、弾性伸縮ベルトからなり、前記弾性伸縮ベルトは若干の穿孔を備え、前記牽引紐は固定端及びアクティブ端を形成する。前記固定端が引っ張り段にミシン糸で縫い合わされ、前記牽引紐のアクティブ端は弾性伸縮ベルトの穿孔内に順番に通されるため、牽引紐は引っ張り段内に隠され、見た目が美しくなる。
２、その内、前記牽引紐のアクティブ端には引き輪が連結される。
３、引っ張り段と牽引紐の固定端には、さらに強化片が設けられ、固定端を強化片と引っ張り段の間に挟んで固定し、ミシン糸によって主紐体及び牽引紐を一体に結合させ、連結強度を強化することができる。
【図面の簡単な説明】
【０００８】
【図１】本発明の立体構造図である。
【図２】本発明の牽引紐を動かす場合の使用状態図である。
【図３】本発明の構造の結合状態図である。
【図４】本発明の引っ張り段の拡大図である。
【図５】本発明の使用状態図である。
【図６】従来の構造の立体図である。
【発明を実施するための形態】
【０００９】
図１から図５に示すように、本発明のペットのリード構造は、主に、一本以上の主紐体１０と、一本以上の牽引紐２０と、からなる。
【００１０】
主紐体１０は、紐を織ってなり、その一側は、飼い主に握らせるグリップ部１１を形成し、他端はペットの首輪に連結する連結部１２を形成し、前記グリップ部１１と連結部１２の間は引っ張り段１３を形成する。
【００１１】
牽引紐２０は、一定距離の紐体であり、ミシン糸によって、牽引紐２０は、主紐体１０の引っ張り段１３末端に縫い合わされ、両者は一体に結合される。
【００１２】
上述で説明した本発明の使用方式と得られる利点、効果を以下に簡単に説明する。
１、図１から図５に示すように、本発明は、主に、牽引紐２０を動かすことにより飼い主とペットの間の距離を固定することができる。そして、飼い主が牽引紐２０を引っ張るとペットを素早く引き戻すことができ、ペットが暴れて交通事故を引き起こすのを防ぐことができる。
２、図１から図５に示すように、前記主紐体１０の引っ張り段１３は、弾性伸縮ベルトからなり、前記弾性伸縮ベルトは若干の穿孔１３１を備え、前記牽引紐２０は、固定端２１及びアクティブ端２２を形成し、前記固定端２１は、引っ張り段１３にミシン糸で縫い合わされ、前記牽引紐２０のアクティブ端２２は、弾性伸縮ベルトの穿孔１３１内に順番に通され、それにより牽引紐２０は引っ張り段１３内に隠される。引っ張り段１３は弾性伸縮ベルトからなるため、ペットはある程度動くスペースがあり、さらに、牽引紐２０は弾性伸縮ベルトの中に組み込まれるため、牽引紐２０を隠す効果があり、さらには、主紐体１０を美しくする効果が生じる。
３、図１から図５に示すように、前記牽引紐２０のアクティブ端２２には引き輪２３が設けられ、飼い主がペットを引くのに便利である。
４、図３と図４に示すように、前記引っ張り段１３と牽引紐２０の固定端２１には、さらに強化片３０が設けられ、固定端２１を強化片３０と引っ張り段１３の間に挟んで固定しミシン糸で主紐体１０及び牽引紐２０と一体に結合することで、連結強度が強化される。
【００１３】
上述の構造以外に、本発明は以下の実施態様も可能である。
Ａ、牽引紐２０の固定端２１には巻き戻しメカニズムが設けられ、前記巻き戻しメカニズムは、渦巻弾性体或は巻き戻しバネにすることができ、巻き戻しメカニズムによって牽引紐２０を元の位置に戻すことができる。
Ｂ、引っ張り段１３には、さらにアクティブ部材が設けられ、牽引紐２０の固定端２１をミシン糸で固定した後、アクティブ端２２をアクティブ部材に巻き付けた後、さらに穿孔１３１に組み入れる。以上により、牽引紐２０を動かすことで、長い距離の主紐体を動かすことができる。さらに、前記アクティブ端２２と固定端２１の巻き付け比は１センチ：２センチであるため、飼い主は、牽引紐２０を半分の距離だけ引くだけで、ペットを二倍の距離引き戻すことができる。言い換えると、力を節約できる。
Ｃ、前記主紐体１０と牽引紐２０は、ミシン糸で両者を一体に縫い合わせることができる以外に、接着剤で両者を一体に結合することができる。
Ｄ、本発明は、単一のペットに使用する以外に、主紐体１０に複数の引っ張り段１３及び連結部１２を設け、前記引っ張り段１３をグリップ部１１にそれぞれ結合させ、前記牽引紐２０は引っ張り段１３の数量に対応させることで、複数のペットを連れて外出する時でも、牽引紐２０で素早くペットを引き戻し、事故が発生するのを防ぐことができる。
【符号の説明】
【００１４】
（従来）
９１  紐体
９２  留め具
９３  輪部
（本発明）
１０  主紐体
１１  グリップ部
１２  連結部
１３  引っ張り段
１３１  穿孔
２０  牽引紐
２１  固定端
２２  アクティブ端
２３  引き輪
３０  強化片
【図１】
2018046789.tif 000003
【図２】
2018046789.tif 000004
【図３】
2018046789.tif 000005
【図４】
2018046789.tif 000006
【図５】
2018046789.tif 000007
【図６】
2018046789.tif 000008
【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
一本以上の主紐体と、一本以上の牽引紐とからなるペットのリード構造であって、
前記主紐体は、主に紐体を織ってなり、その一側は飼い主に握らせるグリップ部を形成し、他側はペットの首輪に連結する連結部を形成し、前記グリップ部と連結部の間は引っ張り段を形成し、
前記牽引紐は、一定距離をもつ紐体であり、前記牽引紐は前記主紐体の前記引っ張り段末端に結合されることで両者は一体に結合し、
前記主紐体の前記引っ張り段は、弾性伸縮ベルトからなり、前記弾性伸縮ベルトは若干の穿孔を備え、
前記牽引紐は固定端とアクティブ端を形成し、
前記牽引紐のアクティブ端は、前記牽引紐を前記引っ張り段に隠すために、前記弾性伸縮ベルトの前記穿孔に順番に通される
ことを特徴とするペットのリード構造。
【請求項２】
請求項１に記載のペットのリード構造において、
前記牽引紐は、ミシン糸によって前記主紐体に結合されている
ことを特徴とするペットのリード構造。
【請求項３】
請求項１に記載のペットのリード構造において、
前記牽引紐は、接着剤によって前記主紐体に結合されている
ことを特徴とするペットのリード構造。
【請求項４】
請求項１から請求項３のいずれかに記載のペットのリード構造において、
前記ペットのリード構造は、さらに強化片を備え、
前記強化片は前記牽引紐の前記固定端に設けられ、前記固定端を前記強化片と前記主紐体との間に挟んで固定し、前記強化片とともに前記牽引紐を前記主紐体に一体に結合し連結強度を強化する
ことを特徴とするペットのリード構造。
【請求項５】
請求項１から請求項４のいずれかに記載のペットのリード構造において、
前記牽引紐の前記固定端には巻き戻しメカニズムが設けられ、前記巻き戻しメカニズムによって前記牽引紐が元の位置に戻される
ことを特徴とするペットのリード構造。
【請求項６】
請求項１から請求項５のいずれかに記載のペットのリード構造において、
前記引っ張り段には、さらにアクティブ部材が設けられ、前記牽引紐の前記固定端が前記主紐体に固定された後、前記アクティブ端を前記アクティブ部材に巻き付けた後に前記穿孔に通し、それにより、前記牽引紐を引っ張ると距離が長い前記主紐体が引っ張られる
ことを特徴とするペットのリード構造。
【請求項７】
請求項１から請求項６のいずれかに記載のペットのリード構造において、
前記主紐体は、複数の前記引っ張り段及び前記連結部を備え、
前記引っ張り段は前記グリップ部にそれぞれ結合され、
前記牽引紐は前記引っ張り段の数量に対応する
ことを特徴とするペットのリード構造。